(57)【要約】【課題】排水縦管を低層階から高層階に向けて洗浄する場合に、内壁に固く付着したスラッジや排水縦管につながる排水横管との接続口で高圧水噴出ノズルが引っ掛かることを防止して高圧水噴出ノズルをスムーズに進行させ、また、噴出される噴射水を内壁に均等に噴射させたりするための管洗浄用ノズル装置、排水縦管洗浄装置及び排水縦管洗浄方法を提供する。【解決手段】管内を進行しながら管内壁に付着したスラッジを除去するための管洗浄用ノズル装置であって、耐圧ホースを経て供給される高圧水を後方に噴射する高圧水噴出ノズルと、高圧水噴出ノズルの軸線方向の先端に配置される矢じり状部材と、を備え、矢じり状部材の外径が高圧水噴出ノズルの外径よりも大きい管洗浄用ノズル装置を用いる。【選択図】図１
2019002150.tif 000002
【特許請求の範囲】
【請求項１】
管内を進行しながら管内壁に付着したスラッジを除去するための管洗浄用ノズルであって、
耐圧ホースを経て供給される高圧水を噴射する高圧水噴射ノズルと、
前記高圧水噴射ノズルの先端に配置される矢じり状部材と、を備え、
前記矢じり状部材の外径が前記高圧水噴射ノズルの外径よりも大きいことを特徴とする管洗浄用ノズル。
【請求項２】
前記矢じり状部材は少なくとも３枚の羽を含む請求項１に記載の管洗浄用ノズル。
【請求項３】
高層建物の排水縦管を洗浄するための排水縦管洗浄装置であって、
請求項１または２に記載の管洗浄用ノズルを先端に接続した耐圧ホースと、
前記耐圧ホースに沿う可撓性直立支持材と、
前記耐圧ホースに接続されて、前記管洗浄用ノズル装置に高圧水を供給する高圧水洗浄機と、を備えることを特徴とする排水縦管洗浄装置。
【請求項４】
請求項３に記載の排水縦管洗浄装置を用いた高層建物の排水縦管の洗浄方法であって、
前記排水縦管の低層階側の開口部に、前記管洗浄用ノズルを侵入させる工程と、
前記高圧水噴射ノズルから、前記高圧水洗浄機から供給される高圧水を噴射させながら、前記排水縦管内で前記低層階側から高層階側に向かって前記耐圧ホースを送り上げる工程と、を備えることを特徴とする排水縦管洗浄方法。
【請求項５】
前記矢じり状部材の外径が、前記排水縦管の内径の０．４倍〜０．８倍である請求項４に記載の排水縦管洗浄方法。
【発明の詳細な説明】
【技術分野】
【０００１】
本発明は、集合住宅等の高層建物に設置されている排水縦管を洗浄するために好ましく用いられる管洗浄用ノズル、排水縦管洗浄装置及び排水縦管洗浄方法に関する。
【背景技術】
【０００２】
集合住宅等の高層建物の流し台、洗面所、浴室、トイレ等の設備から発生する排水は、各設備の配された室内から通じる横枝管を経て、各階を貫通する共用の排水縦管から汚水槽等に流される。
【０００３】
排水には多量の残渣や油脂等が含まれている。排水縦管の内壁には、排水の通過する時間の経過に伴い、排水中の残渣や油脂等が凝集して形成された固形物であるスラッジ（固形物）が徐々に固着し、管径を徐々に減少させる。スラッジをそのまま放置した場合にはスラッジが成長して排水縦管を閉塞させることもある。このような排水縦管の閉塞を防ぐために、高層建物に設置されている排水縦管は一定期間ごとに清掃される必要がある。
【０００４】
排水縦管を清掃する方法として、高圧水噴射ノズルを先端に取り付けた耐圧ホースを排水縦管内に挿入し、ノズルから噴射される高圧水を排水縦管の内壁に固着したスラッジに当てることにより、スラッジを崩すようにして清掃する方法（以下、単に、高圧洗浄方法とも称する）が広く用いられている。
【０００５】
高圧洗浄方法としては、低層階側から高層階側に向かって排水縦管を洗浄する方法が知られている。例えば、下記特許文献１及び２は、高層建物に設置されている排水縦管において、内壁に大量のスラッジが固着して内径が小さくなっているような排水縦管でも洗浄することができる排水縦管洗浄装置を提案している。具体的には、特許文献１及び特許文献２は、高層建物の排水縦管を洗浄するための排水縦管洗浄装置であって、先端に高圧水噴射ノズルを備える耐圧ホースと、耐圧ホースを直立に保持する可撓性直立支持材と、耐圧ホースに接続されて、管洗浄用ノズルに高圧水を供給する高圧水洗浄機と、を備える排水縦管洗浄装置を開示する。
【先行技術文献】
【特許文献】
【０００６】
【特許文献１】特許５７４８２５５号公報
【特許文献２】特許５７４８２５１号公報
【発明の概要】
【発明が解決しようとする課題】
【０００７】
特許文献１及び特許文献２に開示された排水縦管洗浄装置によれば、高層建物の排水縦管内を低層階側からの作業だけで、低層階側から高層階側に向かって排水縦管を洗浄することができる。しかしながら、特許文献１及び特許文献２に開示されたような排水縦管洗浄装置においては、低層階側から高層階側に向かって排水縦管内で高圧水噴射ノズルを上昇させながら洗浄する場合、耐圧ホースがグラスファイバーロッドやアルミニウム三層管のような、可撓性直立支持材で支えられているためにフレキシブル性がなく、そのために、次のような問題が生じることがあった。
【０００８】
図６及び図７は、従来の高圧水噴射ノズルを備えた排水縦管洗浄装置で排水縦管Ｌ内を洗浄するときの模式説明図である。図６中、１０１は噴射口ｊを備えた高圧水噴射ノズルであり、高圧水噴射ノズル１０１は図略の耐圧ジョイントにより耐圧ホース２に接続されている。また、耐圧ホース２はアルミニウム三層管やグラスファイバーロッドのような、可撓性直立支持材６で支えられている。
【０００９】
図６に示すように、従来の高圧水噴射ノズル１０１を備えた排水縦管洗浄装置で排水縦管Ｌ内を洗浄する場合、排水縦管Ｌの管内を低層階から高層階に高圧水噴射ノズル１０１を進行させていったとき、耐圧ホース２が可撓性直立支持材６で支えられているために、直立した状態で高層階へ進行していく。この場合、図６に示すように、内壁に付着した厚みを有するスラッジＳに高圧水噴射ノズル１０１が当たったとき、高圧水噴射ノズル１０１がさらに高層階に進行することが妨げられるという問題があった。また、このような場合においては、高圧水噴射ノズル１０１が排水縦管Ｌの内壁にもたれ掛かってしまうために、高圧水噴射ノズル１０１から噴射される高圧水を内壁に均等に当てることができなくなり、スラッジをきれいに取り除くことができないことがあった。
【００１０】
また、図７に示すように、排水縦管Ｌに排水横管Ｙが接続されている場合、排水横管Ｙの接続口に高圧水噴射ノズル１０１が引っ掛かったとき、耐圧ホース２が可撓性直立支持材６で支えられているために撓みにくく、引っ掛かりを解消できず、高圧水噴射ノズル１０１をその先までスムーズに送ることができなくなることがあった。
【００１１】
本発明は、排水縦管を低層階から高層階に向けて洗浄する場合に、内壁に固く付着したスラッジや排水縦管につながる排水横管との接続口で高圧水噴射ノズルが引っ掛かることを防止して高圧水噴射ノズルをスムーズに進行させたり、また、噴射される水を内壁に均等に当てることのできる管洗浄用ノズル、排水縦管洗浄装置及び排水縦管洗浄方法を提供することを目的とする。
【課題を解決するための手段】
【００１２】
本発明の一局面は、管内を進行しながら管内壁に付着したスラッジを除去するための管洗浄用ノズルであって、耐圧ホースを経て供給される高圧水を噴射する高圧水噴射ノズルと、高圧水噴射ノズルの先端に配置される矢じり状部材と、を備え、矢じり状部材の外径が高圧水噴射ノズルの外径よりも大きい管洗浄用ノズルである。このような管洗浄用ノズルによれば、排水縦管を低層階から高層階に向けて洗浄する場合に、内壁に固く付着したスラッジや排水縦管につながる排水横管との接続口で高圧水噴射ノズルが引っ掛かることを防止して高圧水噴射ノズルをスムーズに進行させ、また、噴射される水を内壁に均等に噴射させることができる。
【００１３】
また、矢じり状部材は少なくとも３枚の羽を含むことが、矢じり状部材の先鋭部を管内の中心付近を通過させやすい点から好ましい。
【００１４】
また、本発明の他の一局面は、高層建物の排水縦管を洗浄するための排水縦管洗浄装置であって、上記管洗浄用ノズルを先端に接続した耐圧ホースと、耐圧ホースに沿う可撓性直立支持材と、耐圧ホースに接続されて、管洗浄用ノズルに高圧水を供給する高圧水洗浄機と、を備える排水縦管洗浄装置である。
【００１５】
また、本発明の他の一局面は、上記排水縦管洗浄装置を用いた高層建物の排水縦管の洗浄方法であって、排水縦管の低層階側の開口部に、管洗浄用ノズルを侵入させる工程と、高圧水噴射ノズルから、高圧水洗浄機から供給される高圧水を噴射させながら、排水縦管内で低層階側から高層階側に向かって耐圧ホースを送り上げる工程と、を備える排水縦管洗浄方法である。このような排水縦管洗浄方法においては、矢じり状部材の外径が、排水縦管の内径の０．４倍〜０．８倍であることが、矢じり状部材の先鋭部を管内の中心付近を通過させやすい点から好ましい。
【発明の効果】
【００１６】
本発明によれば、管内で強固に固まったスラッジを効果的に除去することができる。
【図面の簡単な説明】
【００１７】
【図１】図１は、実施形態の管洗浄用ノズル１０の構成を説明するための模式説明図である。
【図２】図２は、実施形態の排水縦管Ｌを洗浄するための、排水縦管洗浄装置２０の全体構成を説明する模式説明図である。
【図３】図３は、耐圧ホース２に可撓性直立支持材６，１６を沿わせるときの構成の一例を示す模式断面図である。
【図４】図４は、管洗浄用ノズル１０が排水縦管Ｌを洗浄するときの様子を説明するための模式説明図である。
【図５】図５は、管洗浄用ノズル１０が排水縦管Ｌを洗浄するときの様子を説明するための模式説明図である。
【図６】図６は、従来の管洗浄用ノズルを用いて、排水縦管Ｌを洗浄するときの様子を説明するための模式説明図である。
【図７】図７は、従来の管洗浄用ノズルを用いて、排水縦管Ｌを洗浄するときの様子を説明するための模式説明図である。
【発明を実施するための形態】
【００１８】
以下、本発明の一実施形態の管洗浄用ノズル、排水縦管洗浄装置及び排水縦管洗浄方法を図面を参照して説明する。図１は、本実施形態の管洗浄用ノズル１０の模式説明図であり、（ａ）は正面模式図、（ｂ）は高圧水噴射ノズル１及び耐圧ホース２の内部構造を説明するための部分模式断面図である。図１中、１は噴射口ｊを備えた高圧水噴射ノズル、５は矢じり状部材である。また、高圧水噴射ノズル１は耐圧ジョイント３により耐圧ホース２に接続されており、後述する高圧水洗浄機から高圧水が供給される。
【００１９】
管洗浄用ノズル１０は、耐圧ホース２から供給される高圧水を噴射することにより、排水縦管内を進行しながら管内壁に付着したスラッジを除去するためのノズルである。高圧水噴射ノズル１は、通水路Ｒ１，Ｒ２を有する軸体１ｂとキャップ部材１ｃとの間に配されたノズルヘッド１ａを備える。ノズルヘッド１ａは軸体１ｂの外周に摺動可能に支持されている。そして、耐圧ホース２から供給された高圧水は、軸体１ｂの通水路Ｒ１及び通水路Ｒ２の順に通過し、ノズルヘッド１ａの噴射口ｊから高圧水を噴射する。このとき、噴射口ｊが適度な角度をもって高圧水を噴射するように設けられることにより、高圧水の噴射の勢いにより軸体１ｂを中心としてノズルヘッド１ａが回転する。そして、排水縦管内において、ノズルヘッド１ａが回転しながら、噴射口ｊから噴射される高圧水を管内壁に均一に当てることにより、管内壁に付着したスラッジを剥離させる。
【００２０】
そして、キャップ部材１ｃの先端に矢じり状部材５が接続されている。矢じり状部材５は、例えばキャップ部材１ｃの先端に設けられたねじ穴に矢じり状部材５に接続されたボルトを螺合することにより固定したり、キャップ部材１ｃの先端に溶接して固定したりして先端に固定される。矢じり状部材５は矢じり状の先鋭部Ｔが高圧水噴射ノズル１の進行方向の先端に位置するように接続されている。
【００２１】
図１に示すように、矢じり状部材５は、例えば、中心軸Ｃを中心として４枚の羽５ａ〜５ｄが接続された構成を備える。そして、各羽５ａ〜５ｄの形状は先端で一致して先鋭部Ｔを形成し、その輪郭は先鋭部Ｔから中心軸Ｃに対して垂直方向に凸状に円弧を描くような形状である。そして、矢じり状部材５の各羽５ａ〜５ｄの最外部を結んで形成される外周における最大径Ｄ１は、高圧水噴射ノズル１の最大径Ｄ２よりも大きい。中心軸Ｃの延長線は、高圧水噴射ノズル１の中心を通過する軸線Ｚに略一致する。また、矢じり状部材５においては、各羽５ａ〜５ｄに軽量化を目的として、孔ｈが設けられている。
【００２２】
矢じり状部材５の形状は一例である。本発明における矢じり状部材は、中心軸から延びる少なくとも２枚以上の羽根を備え、先端に先鋭部を備えるような形状であれば特に限定されない。また、羽の枚数も２枚以上であればとくに限定されないが、３枚以上、とくには４枚以上備えるような形状であることが好ましい。また、中心軸Ｃの長さは、特に限定されず、配管の内径や、配管内部の閉塞状態によって適宜最適なサイズが選択される。中心軸Ｃの長さの一例としては、例えば５０〜２００ｍｍ程度が好ましい範囲として例示できる。また、矢じり状部材を形成する材質としては、ステンレス等の金属やセラミックスのような硬質の材質が好ましく用いられる。また、羽の厚さも配管内部の閉塞状態等によって、最適なものを選ぶことができるが、例えば１〜５ｍｍ程度が好ましい範囲として例示される。なお、矢じり状部材が重すぎる場合にはハンドリング性が低下する。従って、ハンドリング性を考慮して厚さを選ぶこともある。また、矢じり状部材５においては軽量化を目的として各羽の面内に、孔ｈを設けたが、もちろん、孔を形成しなくてもよい。
【００２３】
次に、管洗浄用ノズルを用いた排水縦管の内部の洗浄方法、及びその洗浄方法に用いられる排水縦管洗浄装置の一実施形態について図２を参照しながら説明する。
【００２４】
図２は、本実施形態の排水縦管洗浄方法を説明するための説明図である。図２中、２は耐圧ホースであり、６は可撓性直立支持材、１０は管洗浄用ノズル、１２は耐圧ホース２に高圧水を供給する高圧水洗浄機、１３は耐圧ホース２と可撓性直立支持材６とを巻回させて収納するホースリールである。
【００２５】
また、７は、可撓性直立支持材６を沿わせた耐圧ホース２を送り上げる送りローラである。また、８は分岐管であり、分岐管８は排水縦管Ｌに一端が接続される主路８ａ，主路８ａから分岐する分岐路８ｂ及び分岐路８ｂへ向かって送風するための送風口８ｃ，止水シール材８ｄを備える。９は、送風口８ｃに接続され、分岐路８ｂに向けて送風するためのブロアーである。また、５０は、分岐管８から排出されるスラッジＳ及び水Ｗを固液分離する固液分離装置である。固液分離装置５０は、剥離させたスラッジを捕捉する網５０ａと排水ポンプ５０ｂとを備える
【００２６】
本実施形態の排水縦管洗浄方法においては、はじめに、排水縦管Ｌの低層階、好ましくは１階で排水縦管Ｌを切断する。そして、排水縦管Ｌの切断により形成された開口部に分岐管８をカップリング継手８ｅを用いて接続する。そして、耐圧ホース２の先端に装着された管洗浄用ノズル１０を排水縦管Ｌの開口部から侵入させる。
【００２７】
そして、送りローラ７に可撓性直立支持材６を沿わせた耐圧ホース２を挟持させ、送りローラ７を回転させることにより、排水縦管Ｌ内において、それらを低層階側から高層階側に向かって送り上げる。ホースリール１３からは、可撓性直立支持材６を沿わせた耐圧ホース２が順次繰り出される。
【００２８】
このとき、ホースリール１３から繰り出された耐圧ホース２を排水縦管Ｌの管内の低層階側（１Ｆ）から高層階側（１１Ｆ）に向けて送り出しながら、高圧水洗浄機１２から高圧水を送り、管洗浄用ノズル１０の高圧水噴射ノズル１の噴射口ｊから進行方向に対して側面、又は斜め後方に高圧水を噴射させる。
【００２９】
なお、排水縦管Ｌが高層建物の排水縦管である場合、図２に示すように、耐圧ホース２は可撓性直立支持材６で支えられていることが高層階まで耐圧ホース２を直立させたまま送り上げることが容易になる点から好ましい。可撓性直立支持材とは、巻回可能な可撓性と巻回状態から解放して直線状に賦形したときに直立性を保持する線状または管状の部材である。このような可撓性直立支持材は、可撓性を有するために作業現場へ巻回した状態で運搬することができるとともに、排水縦管内においては直立性を維持することができる。可撓性直立支持材で耐圧ホースを支える構造としては、例えば、図３（ａ）に示すように、耐圧ホース２の外側にグラスファイバーロッドやカーボンファイバーロッドのような可撓性を有するロッドである可撓性直立支持材６を沿うようにして固定したり、図３（ｂ）に示すように、耐圧ホース２の管内に可撓性直立支持材６を収容したり、図３（ｃ）に示すように、アルミニウム三層管のような管状の可撓性直立支持材１６の管内に耐圧ホース２を収容したりするようにして、耐圧ホース２に直立性を付与するような構造が挙げられる。
【００３０】
可撓性を有するロッドとしては、例えば、建築物の配線のための入線ロッドとして広く用いられているような弾性ロッドが特に好ましく用いられる。弾性ロッドの具体例としては、例えば、グラスファイバー，カーボンファイバー，スチールファイバー，セラミックファイバー等で補強された繊維強化プラスチックを主体とするようなロッドが好ましく用いられる。また、管状の可撓性直立支持材としては、例えば、アルミニウム管の内層と外層をポリエチレン等の樹脂で被覆したアルミニウム三層管やフレキシブル金属チューブ（パイプ）のような直立性フレキシブルチューブ等のような、巻回可能な可撓性と巻回状態から解放したときに直立性を有する管状の部材等が挙げられる。
【００３１】
そして、図４の管洗浄用ノズル１０付近の拡大図に示すように、排水縦管Ｌの内壁面に固着したスラッジＳは、管洗浄用ノズル１０の高圧水噴射ノズル１から噴射される高圧の水Ｗにより破壊される。管洗浄用ノズル１０は、排水縦管Ｌ内の低層階側から高層階側に送り出されながら、排水縦管Ｌ内を低層階側から高層階側に向かって清浄化していく。このとき、矢じり状部材５は先細りの矢じり状の先鋭部Ｔを有するために、厚いスラッジＳ１，Ｓ２が固着して管の内径が細くなった部分が存在する場合には、各羽５ａ〜５ｄの円弧状のエッジが先鋭部Ｔを管の中心部のスラッジが存在しない部分を通過するように誘導するために、厚いスラッジＳ１，Ｓ２に管洗浄用ノズル１０が引っ掛かることなく、厚いスラッジＳ１，Ｓ２を各羽５ａ〜５ｄで崩しながら、進行させることができる。また、先鋭部Ｔが管の中心近傍を通過することにより、高圧水噴射ノズル１が排水縦管Ｌの内壁にもたれないために、噴射される高圧の水Ｗを内壁に均等に当てることができる。さらに、矢じり状部材５自身によっても前方のスラッジを崩すこともできる。
【００３２】
また、図５の管洗浄用ノズル１０付近の拡大図に示すように、排水縦管Ｌが分岐する横管Ｙに接続されている場合、管洗浄用ノズル１０は、矢じり状部材５の各羽５ａ〜５ｄがその円弧状のエッジによって排水縦管Ｌから分岐する横管Ｙの開口した接続部に引っかかることを回避するように誘導するために、管洗浄用ノズル１０を直線状に進行させることができる。
【００３３】
このような排水縦管洗浄方法においては、矢じり状部材５の外径Ｄ１は、排水縦管の内径の閉塞状況によって適宜最適なサイズが選択されるが、例えば、矢じり状部材５の外径Ｄ１は、排水縦管の内径の０．４倍〜０．８倍、さらには０．５倍〜０．７５倍であることが、先鋭部Ｔを管内の中心付近を通過させやすい点から好ましい。
【００３４】
そして、図４及び図５に示すように、排水縦管Ｌの内壁面に固着していた崩されたスラッジＳは、排水縦管Ｌ内を水Ｗとともに落下する。そして、落下するスラッジＳと水Ｗとは、図２に示すように、分岐管８の主路８ａと分岐路８ｂとの分岐点に達したときに、ブロアー９からの風により分岐路８ｂへ吹き飛ばされる。そして、分岐路８ｂから排出されたスラッジＳ及び水Ｗは、固液分離装置５０へ送られ、固液分離された後、処理される。
【００３５】
以上、本発明に係る管洗浄用ノズル、排水縦管洗浄装置及び排水縦管洗浄方法の実施形態を詳しく説明した。発明に係る管洗浄用ノズル、排水縦管洗浄装置及び排水縦管洗浄方法は上述した実施形態に限定されるものではなく、本発明の要旨を逸脱しない範囲において適宜変更して用いられてもよい。例えば、高圧水噴射ノズルの構造は上述したものに限られず、数多くの従来から知られた高圧水噴射ノズルの構造が特に限定なく採用できる。
【符号の説明】
【００３６】
１          高圧水噴射ノズル
２          耐圧ホース
３          耐圧ジョイント
５          矢じり状部材
５ａ〜５ｄ  羽
６          （ロッド状）可撓性直立支持材
１０        管洗浄用ノズル
１２        高圧水洗浄機
１３        ホースリール
１６        （管状）可撓性直立支持材
２０        排水縦管洗浄装置
【図１】
2019002150.tif 000003
【図２】
2019002150.tif 000004
【図３】
2019002150.tif 000005
【図４】
2019002150.tif 000006
【図５】
2019002150.tif 000007
【図６】
2019002150.tif 000008
【図７】
2019002150.tif 000009
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
高層建物の排水縦管を低層階から高層階に向けて洗浄するための排水縦管洗浄装置であって、
管洗浄用ノズルを先端に接続した耐圧ホースと、
前記耐圧ホースに沿う可撓性直立支持材と、
前記耐圧ホースに接続されて、前記管洗浄用ノズルに高圧水を供給する高圧水洗浄機と、を備え、
前記管洗浄用ノズルは、
前記耐圧ホースを経て供給される高圧水を噴射する高圧水噴射ノズルと、
前記高圧水噴射ノズルの先端に配置された矢じり状部材と、を備え、
前記矢じり状部材は、外径が前記高圧水噴射ノズルの外径よりも大きく、中心軸から広がる円弧状のエッジを有する少なくとも３枚の面状の羽を有し、前記各羽は先端へ向けて先細りになり先鋭部を形成していることを特徴とする排水縦管洗浄装置。
【請求項２】
請求項１に記載の排水縦管洗浄装置を用いた高層建物の排水縦管の洗浄方法であって、
前記排水縦管の低層階側の開口部に、前記管洗浄用ノズルを侵入させる工程と、
前記高圧水噴射ノズルから、前記高圧水洗浄機から供給される高圧水を噴射させながら、前記排水縦管内で前記低層階側から高層階側に向かって前記耐圧ホースを送り上げる工程と、を備えることを特徴とする排水縦管洗浄方法。
【請求項３】
前記矢じり状部材の外径が、前記排水縦管の内径の０．４倍〜０．８倍である請求項２に記載の排水縦管洗浄方法。 
【手続補正３】
【補正対象書類名】明細書
【補正対象項目名】０００１
【補正方法】変更
【補正の内容】
【０００１】
本発明は、集合住宅等の高層建物に設置されている排水縦管を洗浄するために好ましく用いられる、排水縦管洗浄装置及び排水縦管洗浄方法に関する。 
【手続補正４】
【補正対象書類名】明細書
【補正対象項目名】００１１
【補正方法】変更
【補正の内容】
【００１１】
本発明は、排水縦管を低層階から高層階に向けて洗浄する場合に、内壁に固く付着したスラッジや排水縦管につながる排水横管との接続口で高圧水噴射ノズルが引っ掛かることを防止して高圧水噴射ノズルをスムーズに進行させたり、また、噴射される水を内壁に均等に当てることのできる、排水縦管洗浄装置及び排水縦管洗浄方法を提供することを目的とする。 
【手続補正５】
【補正対象書類名】明細書
【補正対象項目名】００１３
【補正方法】変更
【補正の内容】
【００１３】
また、矢じり状部材は、外径が高圧水噴射ノズルの外径よりも大きく、中心軸から広がる円弧状のエッジを有する少なくとも３枚の面状の羽を有し、各羽は先端へ向けて先細りになり先鋭部を形成していることにより、矢じり状部材の先鋭部を管内の中心付近を通過させることができる。